(57)【要約】  無線通信システムにおけるユーザ装置において、基地局から、当該基地局へのアクセスが制限されていることを示すアクセス制限情報と、当該基地局がサポートするサービスを示すサービス情報とを受信する受信部と、前記ユーザ装置が、前記サービス情報に示されるサービスをサポートする場合に、前記基地局へのアクセスが可能であると判断し、前記ユーザ装置が、前記サービス情報に示されるサービスをサポートしない場合に、前記基地局へのアクセスが不可であると判断する制御部とを備える。
2018084192.tif 000002
【特許請求の範囲】
【請求項１】
無線通信システムにおけるユーザ装置であって、
基地局から、当該基地局へのアクセスが制限されていることを示すアクセス制限情報と、当該基地局がサポートするサービスを示すサービス情報とを受信する受信部と、
前記ユーザ装置が、前記サービス情報に示されるサービスをサポートする場合に、前記基地局へのアクセスが可能であると判断し、前記ユーザ装置が、前記サービス情報に示されるサービスをサポートしない場合に、前記基地局へのアクセスが不可であると判断する制御部と
を備えることを特徴とするユーザ装置。
【請求項２】
無線通信システムにおけるユーザ装置であって、
前記ユーザ装置が、所定のＲＡＴにおける所定のサービスをサポートしていない場合において、前記所定のＲＡＴのセルを、セル選択又はセル再選択における最低優先のセルと見なして、セル選択又はセル再選択を実行するセル選択制御部と、
前記セル選択制御部によるセル選択又はセル再選択により、前記ユーザ装置が、前記所定のＲＡＴのセルに在圏する場合において、前記所定のＲＡＴ以外のＲＡＴのセルにおける同期信号を受信することにより、前記所定のＲＡＴ以外のＲＡＴのセルのサーチを行う受信部と
を備えることを特徴とするユーザ装置。
【請求項３】
前記受信部は、前記サーチを、前記所定のＲＡＴのセルにおける受信品質に拠らずに、周期的に実行する
ことを特徴とする請求項２に記載のユーザ装置。
【請求項４】
無線通信システムにおけるユーザ装置であって、
基地局から、所定のＲＡＴのセルにおけるサービス対応情報を受信する受信部と、
前記サービス対応情報に基づいて、前記所定のＲＡＴのセルにおいて所定のサービスがサポートされていないことを検知した場合に、前記所定のＲＡＴのセルを、セル選択又はセル再選択の対象外と判定する、又は、前記所定のＲＡＴのセルを、セル選択又はセル再選択における最低優先のセルと見なして、セル選択又はセル再選択を実行するセル選択制御部と
を備えることを特徴とするユーザ装置。
【請求項５】
前記セル選択制御部によるセル選択又はセル再選択により、前記ユーザ装置が、前記所定のＲＡＴのセルに在圏する場合において、前記受信部は、前記所定のＲＡＴ以外のＲＡＴのセルにおける同期信号を受信することにより、前記所定のＲＡＴ以外のＲＡＴのセルのサーチを行う
ことを特徴とする請求項４に記載のユーザ装置。
【請求項６】
無線通信システムにおけるユーザ装置が実行するアクセス制御方法であって、
基地局から、当該基地局へのアクセスが制限されていることを示すアクセス制限情報と、当該基地局がサポートするサービスを示すサービス情報とを受信するステップと、
前記ユーザ装置が、前記サービス情報に示されるサービスをサポートする場合に、前記基地局へのアクセスが可能であると判断し、前記ユーザ装置が、前記サービス情報に示されるサービスをサポートしない場合に、前記基地局へのアクセスが不可であると判断するステップと
を備えることを特徴とするアクセス制御方法。
【発明の詳細な説明】
【技術分野】
【０００１】
本発明は、無線通信システムにおけるユーザ装置に関する。
【背景技術】
【０００２】
３ＧＰＰ（非特許文献１）で規定されているとおり、既存のＬＴＥ（ＬＴＥ−Ａｄｖａｎｃｅｄを含む）の無線通信システムにおいて、基地局からユーザ装置に対して送信されるシステム情報により、ｉｄｌｅ状態にあるユーザ装置が、当該基地局のセルにアクセス可能か否か（在圏可能か否か、ＲＲＣ接続可能か否か、等と言い換えてもよい）を設定することができる。具体的には、ＳＩＢ１中のｃｅｌｌＢａｒｒｅｄにより設定可能である。ｃｅｌｌＢａｒｒｅｄの値がｂａｒｒｅｄである場合、ユーザ装置の当該セルへのアクセスは禁止される。【０００３】
また、既存の無線通信システムにおいて、事業者が試験等の特定の用途に用いるユーザ装置のみをアクセス可能にする仕組みも規定されている（非特許文献１）。具体的には、ＳＩＢ１中のｃｅｌｌＲｅｓｅｒｖｅｄＦｏｒＯｐｅｒａｔｏｒＵｓｅの値がｒｅｓｅｒｖｅｄである場合、当該セルへのアクセスは、特定の用途に用いるユーザ装置にのみ許容される。【０００４】
ところで、超大容量、超低遅延等を目標とする次世代移動通信システム（５Ｇ、ＮＲ（ｎｅｗ  ＲＡＴ））の検討が進められている。以下、当該次世代移動通信システムをＮＲと呼ぶ。また、ＮＲに対応したセルをＮＲセルと呼ぶ。【０００５】
ＮＲの検討においては、ＮＲで想定される全機能のうちの一部の機能については優先度を下げて検討されることが合意されている。そのため、ＮＲの導入当初においては、ＮＲで想定される全機能のうちの一部の機能のみが提供されることが考えられる。
【先行技術文献】
【非特許文献】
【０００６】
【非特許文献１】３ＧＰＰ  ＴＳ  ３６．３０４  Ｖ１３．３．０
【発明の概要】
【発明が解決しようとする課題】
【０００７】
ＮＲの導入当初は、ホットスポット的な展開により、既に面展開されているＬＴＥとのＤｕａｌ  ＣｏｎｎｅｃｔｉｖｉｔｙでＮＲを提供することが想定される。ＮＲ導入後、ＮＲの面展開が加速すると、ＬＴＥカバレッジと同様のＮＲカバレッジが得られ、ＬＴＥに頼らずＮＲ単独でサービスを提供することもできる。【０００８】
上述したように、ＮＲの導入当初では、一部の機能のみが提供されることが考えられるため、ユーザ装置がＮＲセルに単独で接続した場合に、ユーザ装置は特定のサービス（例：災害通知等の公共上重要なサービス）を受けることができない可能性がある。また、ＮＲセルが提供する機能をユーザ装置がサポートしていない可能性もある。そこで、前述したｃｅｌｌｂａｒｒｅｄ等の仕組みを用いて、ユーザ装置を単独ではＮＲセルに接続させない制御を行うことが考えられる。【０００９】
しかしながら、ユーザ装置を一律に単独でＮＲセルにアクセスさせないことは、システムのリソース使用効率低下に繋がる可能性があり、好ましくない。従って、機能が制限されることがあり得るＮＲセルへユーザ装置が適切にアクセスできる技術が求められる。【００１０】
上記のようにセルへのアクセスをユーザ装置に適切に行わせる技術は、ＮＲセルに限らず、機能が制限されることが想定されるセル全般に対して必要な技術である。【００１１】
本発明は上記の点に鑑みてなされたものであり、機能が制限されたセルにユーザ装置を適切にアクセスさせることを可能とする技術を提供することを目的とする。
【課題を解決するための手段】
【００１２】
開示の技術によれば、無線通信システムにおけるユーザ装置であって、
基地局から、当該基地局へのアクセスが制限されていることを示すアクセス制限情報と、当該基地局がサポートするサービスを示すサービス情報とを受信する受信部と、
前記ユーザ装置が、前記サービス情報に示されるサービスをサポートする場合に、前記基地局へのアクセスが可能であると判断し、前記ユーザ装置が、前記サービス情報に示されるサービスをサポートしない場合に、前記基地局へのアクセスが不可であると判断する制御部と
を備えることを特徴とするユーザ装置が提供される。
【発明の効果】
【００１３】
開示の技術によれば、機能が制限されたセルにユーザ装置を適切にアクセスさせることを可能とする技術が提供される。
【図面の簡単な説明】
【００１４】
【図１】本発明の実施の形態における無線通信システムの構成図である。
【図２】ＮＲの展開例を示す図である。
【図３】実施例１における動作を説明するためのシーケンス図である。
【図４】実施例１における動作例１を説明するためのフローチャートである。
【図５】実施例１における動作例２を説明するためのフローチャートである。
【図６】実施例２における動作例１を説明するためのフローチャートである。
【図７】実施例２における動作例２を説明するためのシーケンス図である。
【図８】実施例２における動作例２を説明するためのフローチャートである。
【図９】実施例３における動作例１を説明するためのシーケンス図である。
【図１０】実施例３における動作例２を説明するためのシーケンス図である。
【図１１】ユーザ装置２０の構成図である。
【図１２】基地局１０の構成図である。
【図１３】ユーザ装置２０、及び基地局１０のハードウェア構成図である。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。
【００１６】
本実施の形態の無線通信システムは、少なくともＬＴＥの通信方式をサポートしていることを想定している。よって、無線通信システムが動作するにあたっては、適宜、ＬＴＥで規定された既存技術を使用できる。ただし、当該既存技術はＬＴＥに限られない。また、本明細書で使用する「ＬＴＥ」は、特に断らない限り、ＬＴＥ−Ａｄｖａｎｃｅｄ、及び、ＬＴＥ−Ａｄｖａｎｃｅｄ以降の方式を含む広い意味を有するものとする。また、本発明は、ＬＴＥ以外の通信方式にも適用可能である。
【００１７】
また、本実施の形態では、既存のＬＴＥで使用されているＰＳＳ／ＳＳＳ、ＳＩＢ、ＭＩＢ、ｃｅｌｌＢａｒｒｅｄ、ｃｅｌｌＲｅｓｅｒｖｅｄＦｏｒＯｐｅｒａｔｏｒＵｓｅ、ｃｅｌｌ  ｓｅｌｅｃｔｉｏｎ、ｃｅｌｌ  ｒｅｓｅｌｅｃｔｉｏｎ、ＵＥ、その他の用語を使用しているが、これは記載の便宜上のためであり、これらと同様の機能が他の名称で呼ばれてもよい。
【００１８】
また、本実施の形態において、「セルに接続する」、「セルにアクセスする」は、「基地局に接続する」、「基地局にアクセスする」と同義と考えてよい。また、セルに接続（アクセス）可能であることは、セルに在圏可能であることと同義と考えてよい。
【００１９】
（システム構成、動作概要）
図１に本実施の形態（実施例１〜３に共通）に係る無線通信システムの構成図を示す。本実施の形態に係る無線通信システムは、図１に示すように、ユーザ装置２０、及び基地局１０を含む。図１には、ユーザ装置２０、及び基地局１０が１つずつ示されているが、これは例であり、それぞれ複数であってもよい。なお、本願において、ユーザ装置２０をＵＥと称する場合がある。
【００２０】
本実施の形態の基地局１０は、特に断らない限り、特定のＲＡＴの基地局である。本実施の形態では、特定のＲＡＴはＮＲであるが、特定のＲＡＴはＮＲ以外のＲＡＴでもよい。
【００２１】
参考として、現在のところ想定されているＮＲの展開例を図２に示す。図２左側に示すように、ＮＲの導入当初は、ホットスポット的な展開により、既に面展開されているＬＴＥとのＤｕａｌ  ＣｏｎｎｅｃｔｉｖｉｔｙでＮＲを提供する。図２右側に示すように、ＮＲ導入後、ＮＲの面展開が加速すると、ＬＴＥカバレッジと同様のＮＲカバレッジが得られ、ＬＴＥに頼らずＮＲ単独でサービスが提供される。
【００２２】
本実施の形態では、より具体的な動作例として実施例１、実施例２、実施例３を説明する。各実施例の概要は以下のとおりである。
【００２３】
実施例１では、基地局１０へのアクセスを制限（例：ｂａｒｒｅｄもしくはｏｐｅｒａｔｏｒ  ｕｓｅｒ  ｒｅｓｅｒｖｅｄ）する場合において、特定のサービス・機能に対応しているユーザ装置２０はその例外とし、アクセス可能とする。
【００２４】
実施例２では、基地局１０へのアクセスの制限（例：ｂａｒｒｅｄもしくはｏｐｅｒａｔｏｒ  ｕｓｅｒ  ｒｅｓｅｒｖｅｄ）を行わず、基地局１０又はユーザ装置２０が特定のサービスに対応しているか否かに応じてアクセスの許否が制御される。
【００２５】
実施例３では、ユーザ装置２０を基地局１０のセルに単独ではアクセスさせないように制御する。以下、各実施例を詳細に説明する。
【００２６】
（実施例１）
まず、実施例１を説明する。前述したように、実施例１では、基地局１０へのアクセスを制限（ｂａｒｒｅｄもしくはｏｐｅｒａｔｏｒ  ｕｓｅｒ  ｒｅｓｅｒｖｅｄ）する場合において、基地局１０のセルにおける特定のサービスに対応しているユーザ装置２０はその例外とし、アクセス可能とする。例えば、ユーザ装置２０が、特定のサービスの一例として、Ｐｕｂｌｉｃ  ｗａｒｎｉｎｇ／ｅｍｅｒｇｅｎｃｙ  ａｌｅｒｔに対応している場合、ユーザ装置２０は、基地局１０からアクセス制限を示すブロードキャスト情報（例：ｃｅｌｌ  ｂａｒｒｅｄ／ｒｅｓｅｒｖｅｄＦｏｒＯｐｅｒａｔｏｒＵｓｅ）を受信した場合でも、基地局１０へのアクセスを行うことができる。
【００２７】
アクセス制限の対象外とされる上記の特定のサービス（を示す識別情報）は、予めユーザ装置２０に設定（格納）されていることとしてもよいし、基地局１０からブロードキャスト情報によりユーザ装置２０に送信されることとしてもよい。後者の場合、例えば、基地局１０から送信されるＭＩＢあるいはＳＩＢ１等の中に、Ｃｅｌｌｂａｒｒｅｄ／ｃｅｌｌＲｅｓｅｒｖｅｄＦｏｒＯｐｅｒａｔｏｒＵｓｅの設定情報と共に、Ｃｅｌｌｂａｒｒｅｄ／ｃｅｌｌＲｅｓｅｒｖｅｄＦｏｒＯｐｅｒａｔｏｒＵｓｅのアクセス制限の対象外とするサービス（特定のサービス）の識別情報か含められる。特定のサービスは、ブロードキャスト情報の中に１つだけ設定されてもよいし、複数設定されてもよい。また、Ｃｅｌｌｂａｒｒｅｄ／ｃｅｌｌＲｅｓｅｒｖｅｄＦｏｒＯｐｅｒａｔｏｒＵｓｅの設定情報と、アクセス制限の対象外とするサービス（特定のサービス）の識別情報とが、別々のブロードキャスト情報で通知されてもよい。
【００２８】
図３を参照して実施例１におけるユーザ装置２０と基地局１０との間の動作の例を説明する。
【００２９】
ユーザ装置２０は、基地局１０から送信される同期信号を受信すること（ステップＳ１０１）により、セルサーチを行い（ステップＳ１０２）、基地局１０のセルを検出する。ユーザ装置２０は、基地局１０から送信されるブロードキャスト情報（例：ＭＩＢ及び／又はＳＩＢ）を受信し（ステップＳ１０３）、当該ブロードキャスト情報に含まれる設定情報と、ユーザ装置２０自身の対応サービスに基づいて、基地局１０のセルに接続（在圏、ｃａｍｐ  ｏｎ）可能か否かを判定する（ステップＳ１０４）。
【００３０】
ステップＳ１０４での判定結果が、接続可能である場合において、例えば非特許文献１に規定されているｃｅｌｌ  ｓｅｌｅｃｔｉｏｎ／ｃｅｌｌ  ｒｅｓｅｌｅｃｔｉｏｎ（"／"は"又は"を意味する）を実行し、ユーザ装置２０は当該セルに在圏する。ステップＳ１０４での判定結果が、接続可能でない場合、ユーザ装置２０は、例えば、他のＲＡＴのセルのサーチを行う。
【００３１】
＜実施例１の動作例１：Ｂａｒｒｅｄ  ｃｅｌｌの場合＞
図４を参照して、上記のＳ１０４の判定におけるユーザ装置２０の動作例１を説明する。図４は、基地局１０が、ブロードキャスト情報によりＣｅｌｌｂａｒｒｅｄ（ｂａｒｒｅｄ）を送信する場合の例を示す。図４に示す処理の前提として、ユーザ装置２０は既にブロードキャスト情報を受信しているものとする。
【００３２】
ステップＳ２０１において、ユーザ装置２０は、Ｃｅｌｌｂａｒｒｅｄがブロードキャストされているか否か、つまり、受信したブロードキャスト情報にＣｅｌｌｂａｒｒｅｄが含まれているか否かを判定する。
【００３３】
ステップＳ２０１での判定結果がＹｅｓの場合、ステップＳ２０２において、ユーザ装置２０は、Ｃｅｌｌｂａｒｒｅｄ対象外機能・サービス（機能とサービスは同義である）がブロードキャストされているか否か、つまり、受信したブロードキャスト情報にＣｅｌｌｂａｒｒｅｄ対象外機能・サービスが含まれているか否かを判定する。
【００３４】
ステップＳ２０２での判定結果がＹｅｓの場合、ステップＳ２０３において、ユーザ装置２０は、ユーザ装置２０自身が、ステップＳ２０２で検出したＣｅｌｌｂａｒｒｅｄ対象外機能・サービスをサポートしているか否かを判定する。ここでは、例えば、ブロードキャストされたＣｅｌｌｂａｒｒｅｄ対象外機能・サービスが１つであれば、ユーザ装置２０は、ユーザ装置２０自身が、当該Ｃｅｌｌｂａｒｒｅｄ対象外機能・サービスをサポートしているか否かを判定する。また、複数のＣｅｌｌｂａｒｒｅｄ対象外機能・サービスがブロードキャストされた場合、ユーザ装置２０は、ユーザ装置２０自身が、当該複数のＣｅｌｌｂａｒｒｅｄ対象外機能・サービスのうち、少なくとも１つのＣｅｌｌｂａｒｒｅｄ対象外機能・サービスをサポートしているか否かを判定する。
【００３５】
ステップＳ２０３での判定結果がＹｅｓの場合、ユーザ装置２０は、当該セルに接続可能であると判断する。
【００３６】
一方、ステップＳ２０１、Ｓ２０２、Ｓ２０３のうちのいずれかの判定結果がＮｏの場合、ユーザ装置２０は、当該セルはｂａｒｒｅｄ（接続不許可）であると判断する。
【００３７】
＜実施例１の動作例２：Ｒｅｓｅｒｖｅｄ  ｃｅｌｌの場合＞
図５を参照して、上記のＳ１０４の判定におけるユーザ装置２０の動作例２を説明する。図５は、基地局１０が、ブロードキャスト情報によりｃｅｌｌＲｅｓｅｒｖｅｄＦｏｒＯｐｅｒａｔｏｒＵｓｅ（ｒｅｓｅｒｖｅｄ）を送信（ブロードキャスト）する場合の例を示す。図５に示す処理の前提として、ユーザ装置２０は既にブロードキャスト情報を受信しているものとする。また、ユーザ装置２０は、ＯｐｅｒａｔｏｒＵｓｅの特別なユーザ装置ではないものとする。
【００３８】
ステップＳ３０１において、ユーザ装置２０は、ｃｅｌｌＲｅｓｅｒｖｅｄＦｏｒＯｐｅｒａｔｏｒＵｓｅがブロードキャストされているか否か、つまり、受信したシステム情報にｃｅｌｌＲｅｓｅｒｖｅｄＦｏｒＯｐｅｒａｔｏｒＵｓｅが含まれているか否かを判定する。
【００３９】
ステップＳ３０１での判定結果がＹｅｓの場合、ステップＳ３０２において、ユーザ装置２０は、ｒｅｓｅｒｖｅｄ対象外機能・サービスがブロードキャストされているか否か、つまり、受信したブロードキャスト情報にｒｅｓｅｒｖｅｄ対象外機能・サービスが含まれているか否かを判定する。
【００４０】
ステップＳ３０２での判定結果がＹｅｓの場合、ステップＳ３０３において、ユーザ装置２０は、ユーザ装置２０自身が、ステップＳ３０２で検出したｒｅｓｅｒｖｅｄ対象外機能・サービスをサポートしているか否かを判定する。ここでは、例えば、ブロードキャストされたｒｅｓｅｒｖｅｄ対象外機能・サービスが１つであれば、ユーザ装置２０は、ユーザ装置２０自身が、当該ｒｅｓｅｒｖｅｄ対象外機能・サービスをサポートしているか否かを判定する。また、複数のｒｅｓｅｒｖｅｄ対象外機能・サービスがブロードキャストされた場合、ユーザ装置２０は、ユーザ装置２０自身が、当該複数のｒｅｓｅｒｖｅｄ対象外機能／サービスのうち、少なくとも１つのｒｅｓｅｒｖｅｄ対象外機能・サービスをサポートしているか否かを判定する。
【００４１】
ステップＳ３０３での判定結果がＹｅｓの場合、ユーザ装置２０は、当該セルに接続可能であると判断する。
【００４２】
一方、ステップＳ３０１、Ｓ３０２、Ｓ３０３のうちのいずれかの判定結果がＮｏの場合、ユーザ装置２０は、当該セルはｒｅｓｅｒｖｅｄ（ユーザ装置２０は接続不許可）であると判断する。
【００４３】
実施例１の技術により、特定の機能・サービスをサポートするユーザ装置のみを特定のセル（例：ＮＲセル）にアクセスさせることができ、特定の機能・サービスをサポートしていないユーザ装置をアクセスさせないこと（ｂａｒｒｅｄにすること）ができる。
【００４４】
（実施例２）
次に、実施例２を説明する。前述したように、実施例２では、基地局１０へのアクセスの制限（ｂａｒｒｅｄもしくはｏｐｅｒａｔｏｒ  ｕｓｅｒ  ｒｅｓｅｒｖｅｄ）を行わず、基地局１０又はユーザ装置２０が特定のＲＡＴ（本例ではＮＲ）における特定のサービスに対応しているか否かに応じてアクセスの許否が制御される。
【００４５】
以下では、特定のサービスが公共警報サービス（Ｐｕｂｌｉｃ  ｗａｒｎｉｎｇ／ｅｍｅｒｇｅｎｃｙ  ａｌｅｒｔ、ＰＷＳ／ＥＴＷＳ等）である場合を例にとって説明する。特定のサービスが公共警報サービスであることは一例であり、特定のサービスが公共警報サービス以外のサービス（例：ＭＢＭＳ、Ｄ２Ｄ）であってもよい。なお、ここでは、便宜上、公共警報サービスを「ＰＷＳ／ＥＴＷＳ」と記述する。
【００４６】
以下、基地局１０が必ずＰＷＳ／ＥＴＷＳをサポートする場合の動作例１と、ＰＷＳ／ＥＴＷＳをサポートする基地局とＰＷＳ／ＥＴＷＳをサポートしない基地局がある場合の動作例２を説明する。
【００４７】
＜実施例２の動作例１：基地局１０が必ずＰＷＳ／ＥＴＷＳをサポート＞
動作例１では、ユーザ装置２０がアクセスするＮＲの基地局１０はＰＷＳ／ＥＴＷＳをサポートする。また、基地局１０のＲＡＴ（ＮＲ）以外のＲＡＴ（ＬＴＥ、ＵＭＴＳ、ＧＳＭ等）の基地局もＰＷＳ／ＥＴＷＳをサポートする。
【００４８】
この場合、ユーザ装置２０は、ユーザ装置２０自身がＮＲのＰＷＳ／ＥＴＷＳに対応していない場合には、ＮＲセルをｃｅｌｌ  ｓｅｌｅｃｔｉｏｎ／ｃｅｌｌ  ｒｅｓｅｌｅｃｔｉｏｎの対象外とする。具体的には、例えば、ユーザ装置２０に予め設定されるセルサーチ対象の周波数の中にＮＲセルの周波数を含めない。
【００４９】
ユーザ装置２０がＮＲのＰＷＳ／ＥＴＷＳをサポートしていない場合において、ＮＲセルをｃｅｌｌ  ｓｅｌｅｃｔｉｏｎ／ｃｅｌｌ  ｒｅｓｅｌｅｃｔｉｏｎの対象外とすることに代えて、当該ＮＲセルを、ｃｅｌｌ  ｓｅｌｅｃｔｉｏｎ／ｃｅｌｌ  ｒｅｓｅｌｅｃｔｉｏｎを行う際の最低優先（ｌｏｗｅｓｔ  ｐｒｉｏｒｉｔｙ）のセルとして扱ってもよい。この場合の動作例を図６のフローチャートを参照して説明する。ここでは、ユーザ装置２０は、ＮＲ以外のＲＡＴ（ＬＴＥ、ＵＭＴＳ、ＧＳＭ等）ではＰＷＳ／ＥＴＷＳをサポートしているものとする。
【００５０】
図６に示すように、ユーザ装置２０は、ＮＲセルを最低優先としてｃｅｌｌ  ｓｅｌｅｃｔｉｏｎ／ｃｅｌｌ  ｒｅｓｅｌｅｃｔｉｏｎを行う（ステップＳ４０１）。例えば、ユーザ装置２０の電源を投入したときに行われるｃｅｌｌ  ｓｅｌｅｃｔｉｏｎ、もしくは、ユーザ装置２０が在圏セルから周辺セルに移行するときに行われるｃｅｌｌ  ｒｅｓｅｌｅｃｔｉｏｎにおいて、ユーザ装置２０は、在圏できるセル（ｃｅｌｌ  ｒｅｓｅｌｅｃｔｉｏｎの場合は周辺セル）をサーチするが、その際に、ＮＲセル以外のＲＡＴのセル（ＬＴＥ、ＵＭＴＳ、ＧＳＭ等のセル）が存在せず、ＮＲセルのみを検出した場合に（所定閾値以上の受信強度／受信品質で検出した場合に）、ＮＲセルに在圏する。また、ユーザ装置２０は、ｃｅｌｌ  ｓｅｌｅｃｔｉｏｎ／ｃｅｌｌ  ｓｅｌｅｃｔｉｏｎにおいて、ＮＲ以外のＲＡＴのセルを検出した場合には、当該セルに在圏する。
【００５１】
ユーザ装置２０がｃｅｌｌ  ｓｅｌｅｃｔｉｏｎ／ｃｅｌｌ  ｓｅｌｅｃｔｉｏｎによりＮＲセルに在圏（ｃａｍｐ  ｏｎ）した場合において（ステップＳ４０２のＹｅｓ）、ユーザ装置２０は、ＮＲセルの受信品質（ＲＳＲＰ及び／又はＲＳＲＱ）に拠らずに、一定周期（例えば１秒）で他ＲＡＴのセルを検索し、当該他ＲＡＴのセルを検出した場合に、ユーザ装置２０はｃｅｌｌ  ｒｅｓｅｌｅｃｔｉｏｎにより当該他ＲＡＴのセルに在圏する。上記のように、ここでは、ユーザ装置２０は、ＮＲ以外のＲＡＴに対してＰＷＳ／ＥＴＷＳをサポートすることとしたが、仮に、ＮＲ以外のＲＡＴに関して、ユーザ装置２０がＰＷＳ／ＥＴＷＳをサポートするＲＡＴと、そうでないＲＡＴが存在する場合には、ＰＷＳ／ＥＴＷＳをサポートするＲＡＴを検出できた場合に、当該ＲＡＴのセルに在圏する。
【００５２】
＜実施例２の動作例２＞
動作例２では、ユーザ装置２０は、ユーザ装置２０がアクセスできる全てのＲＡＴにおいて特定のサービス（ここではＰＷＳ／ＥＴＷＳ）をサポートしているが、ＮＲの基地局１０がＰＷＳ／ＥＴＷＳをサポートしていない場合があるケースについて説明する。ここでは、ＮＲ以外のＲＡＴ（ＬＴＥ、ＵＭＴＳ、ＧＳＭ等）の基地局はＰＷＳ／ＥＴＷＳをサポートしているものとする。また、ここでも特定のサービスをＰＷＳ／ＥＴＷＳをしているが、これは一例に過ぎない。
【００５３】
動作例２の基本的な動作を図７のシーケンスを参照して説明する。例えば、ｃｅｌｌ  ｓｅｌｅｃｔｉｏｎが実行される際に、ユーザ装置２０は、基地局１０から送信される同期信号を受信することでセルサーチを行い（ステップＳ５０１、Ｓ５０２）、基地局１０のセルを検出する。
【００５４】
ユーザ装置２０は、基地局１０からブロードキャスト情報（例：ＭＩＢ、ＳＩＢ）として送信されるサービス対応情報を受信する（ステップＳ５０３）。ユーザ装置２０は、当該サービス対応情報に基づき、基地局１０がＰＷＳ／ＥＴＷＳをサポートしているか否かを判定し、その判定結果に基づいて、基地局１０のセルに在圏するかどうかを判定する（ステップＳ５０４）。
【００５５】
上記のサービス対応情報は、例えば、サービス識別情報と、当該サービスをサポートするかどうかを示す情報（例：１がサポート、０が非サポートを示す）との組のリストである。
【００５６】
また、サービス対応情報が、サービスに対応するＳＩＢをサポートしているか否かを示すビットマップ情報であってもよい。例えば、サービスＡ、サービスＢ、サービスＣに対応するＳＩＢをそれぞれＳＩＢ−Ａ、ＳＩＢ−Ｂ、ＳＩＢ−Ｃとした場合において、ビットマップ（例として３ビットとする）のビットの位置が左側からＳＩＢ−Ａ、ＳＩＢ−Ｂ、ＳＩＢ−Ｃに対応付けられているとする。この場合、例えば、ビットマップが「１０１」であるとすると、これは、「ＳＩＢ−Ａ＝サポート、ＳＩＢ−Ｂ＝非サポート、ＳＩＢ−Ｃ＝サポート」を意味する。ユーザ装置２０は、このようなビットマップ情報を受信することで、基地局１０が特定のサービスをサポートしているか否かを判断できる。
【００５７】
また、ｃｅｌｌ  ｒｅｓｅｌｅｃｔｉｏｎのための周辺セルに関する情報として、上記と同様のサービス対応情報を使用することができる。例えば、ユーザ装置２０が、ＮＲセルに在圏している場合において、ユーザ装置２０は、他のＮＲセルへのｃｅｌｌ  ｒｅｓｅｌｅｃｔｉｏｎ（ＮＲ向けのｉｎｔｅｒ／ｉｎｔｒａ−ｆｒｅｑｕｅｎｃｙ  ｃｅｌｌ  ｒｅｓｅｌｅｃｔｉｏｎ）を行うための情報として、在圏ＮＲセルの基地局１０から、周辺（ｎｅｉｇｈｂｏｒｉｎｇ）ＮＲセルの情報として、当該周辺ＮＲセルについてのサービス対応情報（例：ビットマップ情報）を受信する。ユーザ装置２０は、当該サービス対応情報に基づき、当該周辺ＮＲセルが、ＰＷＳ／ＥＴＷＳをサポートしているか否かを判定し、ＰＷＳ／ＥＴＷＳをサポートしている場合に、当該周辺ＮＲセルを、ｃｅｌｌ  ｒｅｓｅｌｅｃｔｉｏｎにより在圏可能なセルであると判断する。
【００５８】
また、ｃｅｌｌ  ｒｅｓｅｌｅｃｔｉｏｎに関して、例えば、ユーザ装置２０が、ＮＲ以外のＲＡＴ（例：ＬＴＥ）のセルに在圏している場合において、ユーザ装置２０は、ＮＲセルへのｃｅｌｌ  ｒｅｓｅｌｅｃｔｉｏｎを行うための情報として、在圏ＬＴＥセルの基地局から、周辺（ｎｅｉｇｈｂｏｒｉｎｇ）ＮＲセルの情報として、当該周辺ＮＲセルについてのサービス対応情報（例：ビットマップ情報）を受信する。ユーザ装置２０は、当該サービス対応情報に基づき、当該周辺ＮＲセルが、ＰＷＳ／ＥＴＷＳをサポートしているか否かを判定し、ＰＷＳ／ＥＴＷＳをサポートしている場合に、当該周辺ＮＲセルを、ｃｅｌｌ  ｒｅｓｅｌｅｃｔｉｏｎにより在圏できるセルであると判断する。
【００５９】
動作例２におけるユーザ装置２０の動作の一例を図８のフローチャートを参照して説明する。
【００６０】
ユーザ装置２０は、ｃｅｌｌ  ｓｅｌｅｃｔｉｏｎ／ｃｅｌｌ  ｒｅｓｅｌｅｃｔｉｏｎのためのセルサーチにより、ＮＲセルを、例えば受信レベルが高いセルとして検出する（ステップＳ６０１）。ユーザ装置２０は、在圏セルの基地局から受信するサービス対応情報（例：ビットマップ情報）により、検出したＮＲセルがＰＷＳ／ＥＴＷＳをサポートしているどうかを判定する。ＰＷＳ／ＥＴＷＳをサポートしていれば、当該ＮＲセルに在圏する。
【００６１】
ＮＲセルがＰＷＳ／ＥＴＷＳをサポートしていない場合（ステップＳ６０２のＮｏ）において、ユーザ装置２０は、当該ＮＲセルをｃｅｌｌ  ｓｅｌｅｃｔｉｏｎ／ｃｅｌｌ  ｒｅｓｅｌｅｃｔｉｏｎの対象外とする、又は、当該ＮＲセルを最低優先とする。当該ＮＲセルをｃｅｌｌ  ｓｅｌｅｃｔｉｏｎ／ｃｅｌｌ  ｒｅｓｅｌｅｃｔｉｏｎの対象外とする場合には、例えば、ユーザ装置２０は、他のセルをサーチし、当該他のセルに対してｃｅｌｌ  ｓｅｌｅｃｔｉｏｎ／ｃｅｌｌ  ｒｅｓｅｌｅｃｔｉｏｎを行う。
【００６２】
当該ＮＲセルを最低優先にする場合において、ユーザ装置２０が、ｃｅｌｌ  ｓｅｌｅｃｔｉｏｎ／ｃｅｌｌ  ｒｅｓｅｌｅｃｔｉｏｎの基準に基づき、当該ＮＲセルに在圏した場合（ステップＳ６０４のＹｅｓ）、ユーザ装置２０は、ＮＲセルの品質に拠らずに、一定周期（例えば１秒）で他ＲＡＴのセルを検索し、当該他ＲＡＴのセルを検出した場合に、ユーザ装置２０はｃｅｌｌ  ｒｅｓｅｌｅｃｔｉｏｎにより当該他ＲＡＴのセルに在圏する（ステップＳ６０５）。また、ステップＳ６０５で検索する対象のセルに、他のＮＲセルが含まれていてもよい。
【００６３】
実施例２の技術により、ユーザ装置と基地局におけるサービス対応状況に応じて、ユーザ装置を適切に基地局（例：ＮＲの基地局）にアクセスさせることができる。
【００６４】
（実施例３）
次に、実施例３を説明する。実施例３では、ユーザ装置２０をＮＲのセルに単独では在圏させないように制御がなされる。具体的には以下のとおりである。
【００６５】
すなわち、図２を参照して説明したように、ＮＲ導入当初は面展開されているＬＴＥにホットスポット的にｏｖｅｒｌａｙするようにＮＲが導入されることが考えられる。ホットスポットのＮＲセルでは、ユーザ装置２０がＮＲセルに単独でアクセスするサービスを提供しないことが考えられる。その場合、ＮＲセルでは、ＬＴＥ−ＮＲ  Ｄｕａｌ  Ｃｏｎｎｅｃｔｉｖｉｔｙに最低限必要なブロードキャスト情報のみを送ればよく、単独セルとしてアクセスするために必要なブロードキャスト情報を送る必要は無い。一例として、ＬＴＥと同様に、同期信号（ＰＳＳ／ＳＳＳ）と、システム帯域幅等の基本情報（ＭＩＢ）だけを送信することが考えられる。
【００６６】
上記のように、ＮＲセルでは、ＬＴＥ−ＮＲ  Ｄｕａｌ  Ｃｏｎｎｅｃｔｉｖｉｔｙに最低限必要なブロードキャスト情報のみを送信する場合、ＮＲセルへの単独アクセスを技術的にサポートするユーザ装置が、当該セルにｃｅｌｌ  ｓｅｌｅｃｔｉｏｎ／ｃｅｌｌ  ｒｅｓｅｌｅｃｔｉｏｎを行おうと試みても、当該セルに在圏することはできない。
【００６７】
セルに在圏できないにも関わらず、当該セルに対するｃｅｌｌ  ｓｅｌｅｃｔｉｏｎ／ｃｅｌｌ  ｒｅｓｅｌｅｃｔｉｏｎを試みることは、非効率であり、好ましくない。そこで、実施例３では、ユーザ装置２０をＮＲのセルに単独ではアクセスさせないように制御がなされる。以下、実施例３における動作例１と動作例２を説明する。
【００６８】
＜実施例３の動作例１＞
動作例１では、ＮＲセルにおいて、例えばＬＴＥ−ＮＲ  Ｄｕａｌ  Ｃｏｎｎｅｃｔｉｖｉｔｙ向けにブロードキャストされるブロードキャスト情報（例：ＭＩＢ（Ｐ−ＢＣＨ））に、当該セルが，単独運用されていないセル（ｎｏｎ−ｓｔａｎｄａｌｏｎｅ）であることを示す情報（非単独運用情報と呼ぶ）を含める。
【００６９】
ユーザ装置２０が、非単独運用情報を受信した場合、ユーザ装置２０は、当該ＮＲセルをｃｅｌｌ  ｓｅｌｅｃｔｉｏｎ／ｃｅｌｌ  ｒｅｓｅｌｅｃｔｉｏｎの対象から除外する。なお、単独運用されていないセル（ｎｏｎ−ｓｔａｎｄａｌｏｎｅ）であることを示す非単独運用情報が、既存のＬＴＥにおけるｃｅｌｌＢａｒｒｅｄと同様の情報であってもよい。
【００７０】
動作例１のシーケンスの例を図９を参照して説明する。図９におけるＮＲの基地局１０は、ユーザ装置２０が在圏しようとするセルの基地局であってもよいし（ｃｅｌｌ  ｓｅｌｅｃｔｉｏｎの場合）、ユーザ装置２０が在圏するセルの周辺セルの基地局であってもよい（ｃｅｌｌ  ｒｅｓｅｌｅｃｔｉｏｎの場合）。
【００７１】
ユーザ装置２０は、基地局１０から受信する同期信号によりセルサーチを行って、基地局１０のセルを検出する（ステップＳ７０１、Ｓ７０２）。
【００７２】
ユーザ装置２０は、非単独運用情報を含むブロードキャスト情報を基地局１０から受信する（ステップＳ７０３）。ユーザ装置２０は、ブロードキャスト情報から非単独運用情報を検出することにより、基地局１０のセルを選択（在圏）対象外とする。
【００７３】
＜実施例３の動作例２＞
動作例２では、ユーザ装置２０が在圏するセル（ここでは例としてＬＴＥセル）において、当該ＬＴＥセルからのブロードキャスト情報により、単独運用されていない周辺のＮＲセルを把握する。
【００７４】
動作例２のシーケンスを図１０を参照して説明する。ここでは、基地局１０はＬＴＥの基地局であるものとし、ユーザ装置２０は、当該基地局１０のセルに在圏しているものとする。
【００７５】
ユーザ装置２０は、基地局１０から単独運用されていないＮＲセルの周波数（ｂａｒｒｅｄ  ｃａｒｒｉｅｒ）をブロードキャスト情報（ＭＩＢ、ＳＩＢ等）として受信する（ステップＳ８０１）。一例として、当該ｂａｒｒｅｄ  ｃａｒｒｉｅｒとして、ＬＴＥ−ＮＲ  Ｄｕａｌ  Ｃｏｎｎｅｃｔｉｖｉｔｙを構成するが、単独セルとしては運用されないＮＲセルの周波数が設定される。
【００７６】
ステップＳ８０１で上記周波数（ｂａｒｒｅｄ  ｃａｒｒｉｅｒ）の情報を受信したユーザ装置２０は、当該周波数をｃｅｌｌ  ｓｅｌｅｃｔｉｏｎ／ｃｅｌｌ  ｒｅｓｅｌｅｃｔｉｏｎの対象周波数から除外する（ステップＳ８０２）。つまり、ユーザ装置２０は、当該周波数に対するセルサーチを行わない。
【００７７】
なお、ｃｅｌｌ  ｒｅｓｅｌｅｃｔｉｏｎに関しては、基地局１０は、ＮＲ  ｃｅｌｌ  ｒｅｓｅｌｅｃｔｉｏｎ用のシステム情報にＮＲセルの周波数を含めないことにより、ユーザ装置２０に、ＮＲセルへのｃｅｌｌ  ｒｅｓｅｌｅｃｔｉｏｎを行わせないこととしてもよい。
【００７８】
また、ブロードキャストで通知する情報として、周波数（ｂａｒｒｅｄ  ｃａｒｒｉｅｒ）に代えて、又は周波数（ｂａｒｒｅｄ  ｃａｒｒｉｅｒ）に加えて、動作例１で示した非単独運用情報を用いてもよい。
【００７９】
実施例３の技術により、単独セル運用していないＮＲセルをｃｅｌｌ  ｓｅｌｅｃｔｉｏｎ／ｃｅｌｌ  ｒｅｓｅｌｅｃｔｉｏｎの対象外とすることができるので、無駄な動作が削減され、ｃｅｌｌ  ｓｅｌｅｃｔｉｏｎ／ｃｅｌｌ  ｒｅｓｅｌｅｃｔｉｏｎに要する時間を低減することができる。
【００８０】
（装置構成）
以上説明した実施の形態の動作を実行するユーザ装置２０及び基地局１０の機能構成例を説明する。ユーザ装置２０及び基地局１０はそれぞれ、本実施の形態で説明した全ての機能（実施例１〜３を含む）を備える。ただし、ユーザ装置２０及び基地局１０はそれぞれ、本実施の形態で説明した全ての機能の中の一部の機能（例：実施例１のみ、実施例２のみ、実施例３のみ、実施例１と実施例３のみ、実施例２と実施例３のみ、実施例１と実施例２のみ、等）を備えることとしてもよい。
【００８１】
＜ユーザ装置２０＞
図１１は、ユーザ装置２０の機能構成の一例を示す図である。図１１に示すように、ユーザ装置２０は、信号送信部２１と、信号受信部２２と、セル選択制御部２３を含む。図１１に示す機能構成は一例に過ぎない。本実施の形態に係る動作を実行できるのであれば、機能区分及び機能部の名称はどのようなものでもよい。例えば、セル選択制御部２３を信号受信部２２に含めてもよい。
【００８２】
信号送信部２１は、上位レイヤの情報から下位レイヤの信号を生成し、当該信号を無線で送信するように構成されている。信号受信部２２は、各種の信号を無線受信し、受信した信号から上位レイヤの情報を取得するように構成されている。また、信号受信部２２は、同期信号等を受信することにより、セルサーチを行う機能を含む。また、信号受信部２２は、参照信号等を受信することにより、受信品質（ＲＳＲＰ、ＲＳＲＱ等）を測定する機能を含む。セル選択制御部２３は、実施例１〜３で説明したセル選択（再選択を含む）に関する処理を実行する。
【００８３】
より具体的には、例えば、信号受信部２２は、基地局から、当該基地局へのアクセスが制限されていることを示すアクセス制限情報と、当該基地局がサポートするサービスを示すサービス情報とを受信する。セル選択制御部２３は、ユーザ装置２０が前記サービス情報に示されるサービスをサポートする場合に、前記基地局へのアクセスが可能であると判断し、ユーザ装置２０が前記サービス情報に示されるサービスをサポートしない場合に、前記基地局へのアクセスが不可であると判断する。アクセス可能である場合には、例えば、当該基地局のセルがセルサーチで検出された場合に、セル選択制御部２３は、当該セルに対し、セル再選択／セル選択（セル再選択又はセル選択）の処理を行って、条件を満たせば、当該セルに在圏する。ユーザ装置２０自身があるサービスをサポートするか否かについては、例えば、ユーザ装置２０に予め格納されている対応サービス情報を参照することにより判断できる。
【００８４】
また、セル選択制御部２３は、ユーザ装置２０が、所定のＲＡＴ（例：ＮＲ）における所定のサービス（例：公共警報サービス）をサポートしていない場合において、前記所定のＲＡＴのセルを、セル選択又はセル再選択における最低優先のセルと見なして、セル選択又はセル再選択を実行する。信号受信部２２は、セル選択制御部２３によるセル選択又はセル再選択により、ユーザ装置２０が、前記所定のＲＡＴのセルに在圏する場合において、前記所定のＲＡＴ以外のＲＡＴ（例：ＬＴＥ）のセルにおける同期信号を受信することにより、前記所定のＲＡＴ以外のＲＡＴのセルのサーチを行う。
【００８５】
セル選択又はセル再選択では、セル選択制御部２３は、セルサーチにより検出されたセルの中で、在圏するための所定の条件を満たすセルを選択し、当該セルに在圏する。なお、所定の条件を満たすセルを選択することが、当該セルに在圏することであってもよい。
【００８６】
また、例えば、信号受信部２２は、基地局から、所定のＲＡＴのセルにおけるサービス対応情報を受信する。また、セル選択制御部２３は、前記サービス対応情報に基づいて、前記所定のＲＡＴのセルにおいて所定のサービスがサポートされていないことを検知した場合に、前記所定のＲＡＴのセルを、セル選択又はセル再選択の対象外と判定する、又は、前記所定のＲＡＴのセルを、セル選択又はセル再選択における最低優先のセルと見なして、セル選択又はセル再選択を実行する。
【００８７】
また、信号受信部２２が、基地局から、非単独運用情報を受信した場合には、セル選択制御部２３は、当該基地局のセルをセル選択又はセル再選択の対象外と判定する。また、信号受信部２２は、在圏セルの基地局からｂａｒｒｅｄ  ｃａｒｒｉｅｒの周波数情報を受信した場合に、当該周波数のセルサーチを行わない。
【００８８】
＜基地局１０＞
図１２は、基地局１０の機能構成の一例を示す図である。図１２に示すように、基地局１０は、信号送信部１１と、信号受信部１２と、情報通知制御１３を含む。図１２に示す機能構成は一例に過ぎない。本実施の形態に係る動作を実行できるのであれば、機能区分及び機能部の名称はどのようなものでもよい。例えば、情報通知制御１３を信号送信部１１に含めてもよい。
【００８９】
信号送信部１１は、上位レイヤの情報から下位レイヤの信号を生成し、当該信号を無線で送信するように構成されている。信号受信部１２は、各種の信号を無線受信し、受信した信号から上位レイヤの情報を取得するように構成されている。情報通知制御１３は、本実施の形態で説明したように、基地局１０からブロードキャストされる情報の生成、及び通知（信号送信部１１を介した通知）を行う。
【００９０】
＜ハードウェア構成＞
上記実施の形態の説明に用いたブロック図（図１１及び図１２）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に複数要素が結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００９１】
また、例えば、本発明の一実施の形態におけるユーザ装置２０と基地局１０はいずれも、本実施の形態に係る処理を行うコンピュータとして機能してもよい。図１３は、本実施の形態に係るユーザ装置２０及び基地局１０のハードウェア構成の一例を示す図である。上述のユーザ装置２０及び基地局１０はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【００９２】
なお、以下の説明では、「装置」という文言は、回路、デバイス、ユニットなどに読み替えることができる。ユーザ装置２０及び基地局１０のハードウェア構成は、図に示した１００１〜１００６で示される各装置を１つ又は複数含むように構成されてもよいし、一部の装置を含まずに構成されてもよい。
【００９３】
ユーザ装置２０及び基地局１０における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００９４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されてもよい。
【００９５】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、ユーザ装置２０の信号送信部２１、信号受信部２２、セル選択制御部２３は、メモリ１００２に格納され、プロセッサ１００１で動作する制御プログラムによって実現されてもよい。また、基地局１０の信号送信部１１、信号受信部１２、情報通知制御部１３は、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００９６】
メモリ１００２は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されてもよい。メモリ１００２は、レジスタ、キャッシュ、メインメモリ（主記憶装置）などと呼ばれてもよい。メモリ１００２は、本発明の一実施の形態に係る処理を実施するために実行可能なプログラム（プログラムコード）、ソフトウェアモジュールなどを保存することができる。
【００９７】
ストレージ１００３は、コンピュータ読み取り可能な記録媒体であり、例えば、ＣＤ−ＲＯＭ（Ｃｏｍｐａｃｔ  Ｄｉｓｃ  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００９８】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、ユーザ装置２０の信号送信部２１及び信号受信部２２は、通信装置１００４で実現されてもよい。また、基地局１０の信号送信部１１及び信号受信部１２は、通信装置１００４で実現されてもよい。
【００９９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤランプなど）である。なお、入力装置１００５及び出力装置１００６は、一体となった構成（例えば、タッチパネル）であってもよい。
【０１００】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１０１】
また、ユーザ装置２０及び基地局１０はそれぞれ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１０２】
（実施の形態のまとめ）
以上、説明したように、本実施の形態によれば、無線通信システムにおけるユーザ装置であって、基地局から、当該基地局へのアクセスが制限されていることを示すアクセス制限情報と、当該基地局がサポートするサービスを示すサービス情報とを受信する受信部と、前記ユーザ装置が、前記サービス情報に示されるサービスをサポートする場合に、前記基地局へのアクセスが可能であると判断し、前記ユーザ装置が、前記サービス情報に示されるサービスをサポートしない場合に、前記基地局へのアクセスが不可であると判断する制御部とを備えることを特徴とするユーザ装置が提供される。
【０１０３】
上記の構成により、機能が制限されたセルにユーザ装置を適切にアクセスさせることを可能とする技術が提供される。
【０１０４】
また、本実施の形態によれば、無線通信システムにおけるユーザ装置であって、前記ユーザ装置が、所定のＲＡＴにおける所定のサービスをサポートしていない場合において、前記所定のＲＡＴのセルを、セル選択又はセル再選択における最低優先のセルと見なして、セル選択又はセル再選択を実行するセル選択制御部と、前記セル選択制御部によるセル選択又はセル再選択により、前記ユーザ装置が、前記所定のＲＡＴのセルに在圏する場合において、前記所定のＲＡＴ以外のＲＡＴのセルにおける同期信号を受信することにより、前記所定のＲＡＴ以外のＲＡＴのセルのサーチを行う受信部とを備えることを特徴とするユーザ装置が提供される。
【０１０５】
上記の構成により、機能が制限されたセルにユーザ装置を適切にアクセスさせることを可能とする技術が提供される。
【０１０６】
前記受信部は、前記サーチを、前記所定のＲＡＴのセルにおける受信品質に拠らずに、周期的に実行することとしてもよい。この構成により、ユーザ装置が所定のサービスをサポートするセルに、当該ユーザ装置が在圏できる可能性が高まる。
【０１０７】
また、本実施の形態によれば、無線通信システムにおけるユーザ装置であって、基地局から、所定のＲＡＴのセルにおけるサービス対応情報を受信する受信部と、前記サービス対応情報に基づいて、前記所定のＲＡＴのセルにおいて所定のサービスがサポートされていないことを検知した場合に、前記所定のＲＡＴのセルを、セル選択又はセル再選択の対象外と判定する、又は、前記所定のＲＡＴのセルを、セル選択又はセル再選択における最低優先のセルと見なして、セル選択又はセル再選択を実行するセル選択制御部とを備えることを特徴とするユーザ装置が提供される。
【０１０８】
上記の構成により、機能が制限されたセルにユーザ装置を適切にアクセスさせることを可能とする技術が提供される。
【０１０９】
前記セル選択制御部によるセル選択又はセル再選択により、前記ユーザ装置が、前記所定のＲＡＴのセルに在圏する場合において、前記受信部は、前記所定のＲＡＴ以外のＲＡＴのセルにおける同期信号を受信することにより、前記所定のＲＡＴ以外のＲＡＴのセルのサーチを行うこととしてもよい。この構成より、ユーザ装置は、所定のサービスをサポートするセルに在圏できる可能性が高まる。
【０１１０】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、ユーザ装置２０及び基地局１０は機能的なブロック図を用いて説明されたが、そのような装置はハードウェアで、ソフトウェアで又はそれらの組み合わせで実現されてもよい。本発明の実施の形態に従ってユーザ装置２０が有するプロセッサにより動作するソフトウェア及び本発明の実施の形態に従って基地局１０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１１１】
また、情報の通知は、本明細書で説明した態様／実施形態に限られず、他の方法で行われてもよい。例えば、情報の通知は、物理レイヤシグナリング（例えば、ＤＣＩ（Ｄｏｗｎｌｉｎｋ  Ｃｏｎｔｒｏｌ  Ｉｎｆｏｒｍａｔｉｏｎ）、ＵＣＩ（Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、ＭＡＣ（Ｍｅｄｉｕｍ  Ａｃｃｅｓｓ  Ｃｏｎｔｒｏｌ）シグナリング、ブロードキャスト情報（ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ）））、その他の信号又はこれらの組み合わせによって実施されてもよい。また、ＲＲＣシグナリングは、ＲＲＣメッセージと呼ばれてもよく、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであってもよい。
【０１１２】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＳＵＰＥＲ  ３Ｇ、ＩＭＴ−Ａｄｖａｎｃｅｄ、４Ｇ、５Ｇ、ＦＲＡ（Ｆｕｔｕｒｅ  Ｒａｄｉｏ  Ａｃｃｅｓｓ）、Ｗ−ＣＤＭＡ（登録商標）、ＧＳＭ（登録商標）、ＣＤＭＡ２０００、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ｕｌｔｒａ−ＷｉｄｅＢａｎｄ）、Ｂｌｕｅｔｏｏｔｈ（登録商標）、その他の適切なシステムを利用するシステム及び／又はこれらに基づいて拡張された次世代システムに適用されてもよい。
【０１１３】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１１４】
本明細書において基地局１０によって行われるとした特定動作は、場合によってはその上位ノード（ｕｐｐｅｒ  ｎｏｄｅ）によって行われることもある。基地局１０を有する１つまたは複数のネットワークノード（ｎｅｔｗｏｒｋ  ｎｏｄｅｓ）からなるネットワークにおいて、ユーザ装置２０との通信のために行われる様々な動作は、基地局１０および／または基地局１０以外の他のネットワークノード（例えば、ＭＭＥまたはＳ−ＧＷなどが考えられるが、これらに限られない）によって行われ得ることは明らかである。上記において基地局１０以外の他のネットワークノードが１つである場合を例示したが、複数の他のネットワークノードの組み合わせ（例えば、ＭＭＥおよびＳ−ＧＷ）であってもよい。
【０１１５】
本明細書で説明した各態様／実施形態は単独で用いてもよいし、組み合わせて用いてもよいし、実行に伴って切り替えて用いてもよい。
【０１１６】
ユーザ装置２０は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１１７】
基地局１０は、当業者によって、ＮＢ（ＮｏｄｅＢ）、ｅＮＢ（ｅｎｈａｎｃｅｄ  ＮｏｄｅＢ）、ベースステーション（Ｂａｓｅ  Ｓｔａｔｉｏｎ）、またはいくつかの他の適切な用語で呼ばれる場合もある。
【０１１８】
本明細書で使用する「判断（ｄｅｔｅｒｍｉｎｉｎｇ）」、「決定（ｄｅｔｅｒｍｉｎｉｎｇ）」という用語は、多種多様な動作を包含する場合がある。「判断」、「決定」は、例えば、判定（ｊｕｄｇｉｎｇ）、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベースまたは別のデータ構造での探索）、確認（ａｓｃｅｒｔａｉｎｉｎｇ）した事を「判断」「決定」したとみなす事などを含み得る。また、「判断」、「決定」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）した事を「判断」「決定」したとみなす事などを含み得る。また、「判断」、「決定」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などした事を「判断」「決定」したとみなす事を含み得る。つまり、「判断」「決定」は、何らかの動作を「判断」「決定」したとみなす事を含み得る。
【０１１９】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１２０】
「含む（ｉｎｃｌｕｄｅ）」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｉｎｇ）」と同様に、包括的であることが意図される。さらに、本明細書あるいは特許請求の範囲において使用されている用語「または（ｏｒ）」は、排他的論理和ではないことが意図される。
【０１２１】
本開示の全体において、例えば、英語でのａ，ａｎ，及びｔｈｅのように、翻訳により冠詞が追加された場合、これらの冠詞は、文脈から明らかにそうではないことが示されていなければ、複数のものを含み得る。
【０１２２】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１２３】
本特許出願は２０１６年１１月２日に出願した日本国特許出願第２０１６−２１５７１３号に基づきその優先権を主張するものであり、日本国特許出願第２０１６−２１５７１３号の全内容を本願に援用する。
【符号の説明】
【０１２４】
１０  基地局
１１  信号送信部
１２  信号受信部
１３  情報通知制御
２０  ユーザ装置
２１  信号送信部
２２  信号受信部
２３  セル選択制御部
１００１  プロセッサ
１００２  メモリ
１００３  ストレージ
１００４  通信装置
１００５  入力装置
１００６  出力装置
【図１】
2018084192.tif 000003
【図２】
2018084192.tif 000004
【図３】
2018084192.tif 000005
【図４】
2018084192.tif 000006
【図５】
2018084192.tif 000007
【図６】
2018084192.tif 000008
【図７】
2018084192.tif 000009
【図８】
2018084192.tif 000010
【図９】
2018084192.tif 000011
【図１０】
2018084192.tif 000012
【図１１】
2018084192.tif 000013
【図１２】
2018084192.tif 000014
【図１３】
2018084192.tif 000015
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
基地局から、セルにおけるサービス対応情報を受信する受信部と、
前記サービス対応情報に基づいて、前記セルにおいて所定のサービスがサポートされていないことを検知した場合に、前記所定のサービスをサポートするセルへのセル選択又はセル再選択を実行する制御部と
を備えることを特徴とするユーザ装置。
【請求項２】
前記サービス対応情報は、緊急サービス関連情報である
請求項１に記載のユーザ装置。
【請求項３】
前記所定のサービスは、緊急サービスである
請求項１又は２に記載のユーザ装置。
【請求項４】
基地局から、セルにおけるサービス対応情報を受信するステップと、
前記サービス対応情報に基づいて、前記セルにおいて所定のサービスがサポートされていないことを検知した場合に、前記所定のサービスをサポートするセルへのセル選択又はセル再選択を実行するステップと
を備えることを特徴とする、ユーザ装置が実行するアクセス制御方法。
【国際調査報告】
2018084192.tif 000016
2018084192.tif 000017
2018084192.tif 000018
2018084192.tif 000019
2018084192.tif 000020
2018084192.tif 000021
2018084192.tif 000022
2018084192.tif 000023
2018084192.tif 000024